(57)【特許請求の範囲】
【請求項１】
木材をスライスすることにより形成された突板と、
透明な合成樹脂で構成され、前記突板の裏面側に接合された基材と、
を備え、
前記基材の裏面側に、前記突板に意匠上の変化を付与するための意匠層が着脱自在に取り付けられていることを特徴とする木質化粧成形品。
【請求項２】
木材をスライスすることにより形成された突板と、
透明な合成樹脂で構成され、前記突板の裏面側に接合された基材と、
を備え、
前記基材の裏面側に、液晶およびＬＥＤの一方により所定の情報を表示する表示装置が設けられていることを特徴とする木質化粧成形品。
【請求項３】
前記突板と前記基材の間に、前記突板を補強するための透明な補強材が配置されていることを特徴とする、請求項１または２に記載の木質化粧成形品。
【請求項４】
前記突板および前記補強材の少なくとも一方に、透明な合成樹脂が含浸されていることを特徴とする、請求項３に記載の木質化粧成形品。
【請求項５】
前記基材の裏面側に照明用の光源が設けられていることを特徴とする、請求項１ないし４のいずれかに記載の木質化粧成形品。
【請求項６】
前記光源は、発光する光の色および光量の少なくとも一方が可変に構成されていることを特徴とする、請求項５に記載の木質化粧成形品。
【請求項７】
前記光源と前記基材の間に、当該光源の光を均一化するための導光板が設けられていることを特徴とする、請求項５または６に記載の木質化粧成形品。
【請求項８】
前記突板の表面に所定の情報を表示する表示材が設けられていることを特徴とする、請求項５ないし７のいずれかに記載の木質化粧成形品。
【請求項９】
前記基材の一部が不透明な合成樹脂で構成されていることを特徴とする、請求項１ないし８のいずれかに記載の木質化粧成形品。
【請求項１０】
前記突板の表面にトップコート塗装が施されていることを特徴とする、請求項１ないし９のいずれかに記載の木質化粧成形品。
【発明の詳細な説明】
【０００１】
【発明の属する技術分野】
本発明は、自動車の内装部品などに用いられる、表面に突板を配置した複合構成の木質化粧成形品に関する。
【０００２】
【従来の技術】
従来のこの種の木質化粧成形品として、例えば図９に示すものが知られている。この木質化粧成形品５１は、表面側から順に、互いに接着された表突板５３、補強材５４および裏突板５５と、その裏面に一体成形された基材５６とによって構成され、表突板５３の表面には、トップコート塗装によりトップコート塗膜層５２が形成されている。
【０００３】
表突板５３および裏突板５５は、木材を薄くスライスしたものであり、表突板５３は化粧層として、裏突板５５は、基材５６を一体成形する際のアンカリング層として、それぞれ機能する。また、補強材５４は、割れやすい表突板５３を補強するためのものであり、例えば不織布で構成されている。基材５６は、木質化粧成形品５１の強度および剛性を確保するためのものであり、不透明な合成樹脂で構成され、例えば射出成形によって成形されている。さらに、トップコート塗膜層５２は、透明なポリエステル塗料などで構成され、木質化粧成形品５１の表面の艶出しや保護などを行う。
【０００４】
【発明が解決しようとする課題】
しかし、上述した従来の木質化粧成形品５１では、表面にトップコート塗装が施され、艶出し仕上げされているものの、不透明な基材５６などを背景として設けられた表突板５３のみが、トップコート塗膜層５２を通して見えるにすぎない。このため、表突板５３は、深み感や照り感（見る角度によって光り方が違って見える感じ）に欠け、仕上がりが単調になるという欠点がある。同じ理由から、木質化粧成形品５１の意匠が、表突板５３によってほぼ定まってしまうため、表突板５３を変えない限り、基本的に意匠は変化せず、ほぼ一定の意匠しか得ることができない。
【０００５】
本発明は、このような課題を解決するためになされたものであり、突板の深み感や照り感が強調された、独特の美しい仕上がりを得ることができるとともに、多様な意匠と機能を実現することができる木質化粧成形品を提供することを目的とする。
【０００６】
【課題を解決するための手段】
この目的を達成するため、本発明の木質化粧成形品は、木材をスライスすることにより形成された突板と、透明な合成樹脂で構成され、突板の裏面側に接合された基材と、を備え、基材の裏面側に、突板に意匠上の変化を付与するための意匠層が着脱自在に取り付けられていることを特徴としている。
木材を薄くスライスした突板には一般に、光を通すという特性（透明性）がある。したがって、この木質化粧成形品によれば、透明性を有する突板の裏面側に透明な合成樹脂で構成された基材が配置されていることによって、光が突板だけでなく裏面側の基材をも透過する。その結果、従来の木質化粧成形品と異なり、突板の深み感や照り感が強調された、独特の美しい仕上がりを得ることができる。
また、基材の裏面側に意匠層を設けることにより、この意匠層が、透明な基材を介して透けて現れ、突板と複合して見えるようにすることによって、突板の意匠を多様に変化させることができる。この場合の意匠層としては、突板の意匠を変化させるものであれば任意であり、例えば、木目模様などの模様付きのものはもとより、色付きのものや文字を付したもの、さらにはこれらの２つ以上を付したものなどが広く含まれる。また、意匠層が基材の裏面側に着脱自在に取り付けられているので、この意匠層を適宜、交換することによって、突板の模様や色調などを容易に変化させることができる。
【０００７】
また、本発明の他の木質化粧成形品は、木材をスライスすることにより形成された突板と、透明な合成樹脂で構成され、突板の裏面側に接合された基材と、を備え、基材の裏面側に、液晶およびＬＥＤの一方により所定の情報を表示する表示装置が設けられていることを特徴としている。
この木質化粧成形品によれば、請求項１の木質化粧成形品と同様、透明性を有する突板の裏面側に透明な合成樹脂で構成された基材が配置されていることによって、突板の深み感や照り感が強調された、独特の美しい仕上がりを得ることができる。
また、基材の裏面側に上記の表示装置を設けることにより、必要なときだけ、液晶またはＬＥＤを点灯することによって、所定の情報を基材を介して突板の表面に映し出すことができる。
【０００８】
これらの場合、突板と基材の間に、突板を補強するための透明な補強材が配置されていることが好ましい。この構成によれば、例えば不織布から成る補強材で突板が補強されるので、その割れを防止できるなど、加工適性を向上させることができる。また、補強材が透明であるので、上述した請求項１および２の作用はそのまま保たれる。
【０００９】
さらにこの場合、突板および補強材の少なくとも一方に、透明な合成樹脂が含浸されていることが好ましい。この構成では、突板および／または補強材に含浸した透明な合成樹脂によって、これらの透明性が増すので、突板の深み感をさらに強調することができる。
【００１３】
これらの場合、基材の裏面側に照明用の光源が設けられていることが好ましい。この構成では、光源の光により、突板が基材を介して照明され、意匠層が設けられている場合にはこの意匠層も併せて照明されることによって、暗い場所でも突板の意匠を浮き出させて見せることができる。
【００１４】
この場合、光源は、その光の色および光量の少なくとも一方が可変に構成されていることが好ましい。この構成では、光源の光の色および／または光量を変えることによって、突板の色調や明るさを変化させることができる。
【００１５】
これらの場合、光源と基材の間に、光源の光を均一化するための導光板が設けられていることが好ましい。この構成では、光源の光が導光板で均一化されることによって、自然で穏やかな突板の外観を得ることができる。
【００１６】
これらの場合、突板の表面に所定の情報を表示する表示材が設けられていることが好ましい。この構成では、表示材もまた光源により裏側から照明されるので、それに表示された情報を、暗い場所でも確認することができる。
【００１８】
これらの場合、基材の一部が不透明な合成樹脂で構成されていることが好ましい。この構成では、透明な合成樹脂が基材に部分的にのみ配置されていることによって、突板の意匠を、部分的に強調して目立たせたり、同一平面内で変化させたりすることなどが可能になり、より多様なバリエーションを得ることができる。
【００１９】
これらの場合、突板の表面にトップコート塗装が施されていることが好ましい。この構成では、突板の表面をトップコート塗膜層により艶出しおよび保護などすることによって、木質化粧成形品の意匠性や耐久性を向上させることができる。
【００２０】
【発明の実施の形態】
以下、本発明の好ましい実施形態を、図面を参照しながら詳細に説明する。図１は、本発明の第１実施形態による木質化粧成形品を示している。この木質化粧成形品１は、表面側の突板２と、その裏面に接合一体化された基材３とを備えており、これらは、射出成形によって一体成形されている。また、突板２の表面には、トップコート塗装によってトップコート塗膜層１０が形成されている。
【００２１】
突板２は、木質化粧成形品１を化粧するものであり、ウォルナットやメープルなどの木材をスライスすることにより厚さ０．２ｍｍ程度に非常に薄く形成されており、その結果として、ある程度の透明性を有している。また、突板２は、基材３を射出成形により接合一体化する際のアンカリング層としても機能する。
【００２２】
基材３は、木質化粧成形品１の強度および剛性を確保するものであり、突板シート２よりもかなり厚く形成されている。また、基材３は、本発明では特に、突板２に深み感や照り感を付与する機能を果たすものであり、このため、本実施形態では、射出成形に適し、かつ強度、耐熱性や寸法安定性などに優れていることに加えて、透明な合成樹脂、例えば、ポリカーボネートやポリスチレンなどで構成されている。
【００２３】
トップコート塗膜層１０は、透明なポリエステル塗料などで構成されており、木質化粧成形品１の表面を保護するとともに、高級感を与えるべく艶出し仕上げが施されている。これにより、木質化粧成形品１の意匠性や耐久性を向上させることができる。
【００２４】
以上の構成の木質化粧成形品１によれば、透明性を有する突板２の裏面側に、透明な合成樹脂で構成された基材３が配置されているので、光が突板２だけでなく基材３をも透過する。その結果、従来の木質化粧成形品５１と異なり、突板２の深み感や照り感が強調された、独特の美しい仕上がりを得ることができる。すなわち、この場合における基材３を構成する合成樹脂の「透明」とは、突板２の深み感などに影響を及ぼす程度に光を透過するものであればよく、半透明や色付きのものも含まれる。
【００２５】
図２〜図８は、本発明の他の実施形態による木質化粧成形品をそれぞれ示している。以下、実施形態間で構成要素が同じものについては、図面に同じ参照符号を付して説明を行うものとする。また、各実施形態では、突板２の表面に、実際には第１実施形態と同様のトップコート塗膜層１０が形成されているが、図示の便宜上、図２以下ではトップコート塗膜層１０は省略して描かれている。
【００２６】
図２に示す第２実施形態の木質化粧成形品１は、上述した第１実施形態の突板２と基材３との間に、透明な補強材４を付加したものである。この補強材４は、透明性を有する材料、例えばポリエステルやビニロンなどから成り、厚さ０．１ｍｍ程度に薄く形成された不織布で構成されている。したがって、本実施形態によれば、突板２が補強材４で補強されることにより、その割れを防止でき、木質化粧成形品１の加工適性を向上させることができる。また、補強材４が透明であるので、前述した第１実施形態の効果をそのまま維持することができる。したがって、この場合の補強材４の「透明」もまた、光をある程度以上、透過するものであればよく、半透明や色付きのものも含まれる。
【００２７】
なお、図示しないが、第１実施形態の突板２に、あるいは第２実施形態の突板２および補強材４の少なくとも一方に、透明な合成樹脂をあらかじめ含浸するようにしてもよい。それにより、含浸した透明な合成樹脂によって、突板２および／または補強材４の透明性が増すので、突板２の深み感をさらに強調することができる。この場合、含浸する合成樹脂の「透明」もまた、突板２や補強材４の透明性を増すという作用が得られるような、光をある程度以上、透過する半透明や色付きのものでもよく、例えばポリエステル樹脂やポリウレタン樹脂で構成されている。
【００２８】
図３の第３実施形態による木質化粧成形品１は、第１実施形態の基材３の裏面に、意匠層５を配置したものである。この意匠層５は、突板２に意匠上の変化を付与するために設けられており、例えば、木目模様などの模様付きのもの、色付きのものや文字を付したもの、さらにはこれらの２つ以上を付したものなど、任意に構成することが可能である。
【００２９】
したがって、本実施形態によれば、この意匠層５が、透明な基材３を介して透けて現れ、突板２と複合して見えることによって、突板２の意匠を変化させることができる。より具体的には、意匠層５が模様付きの場合には、突板２の木目模様に変化をもたせることができ、色付きの場合には、突板２について異なる色調を得ることができ、また、文字付きの場合には、突板２の木目模様と複合した意匠を作り出すことができるなど、突板２が同じであっても、その意匠を多様に変化させることができる。
【００３０】
さらに、この意匠層５を、基材３の裏面に着脱自在に取り付けるようにしてもよい。それにより、意匠層５を適宜、交換することによって、突板２の模様や色調などを容易に変化させることが可能になる。あるいは、意匠層５を基材３の表面側に設けるようにしてもよく、それにより、意匠層５が基材３を介さずに突板２に直接、透けて見えることで、突板２の意匠が変化するとともに、基材３の裏面側に設けた場合とはまた異なる意匠を得ることができる。
【００３１】
図４の第４実施形態による木質化粧成形品１は、第１実施形態の基材３の裏面に、照明用の光源６を設けたものである。この光源６は、図示しないスイッチなどの操作子によりＯＮ／ＯＦＦされる。したがって、本実施形態によれば、光源６の光により、突板２が基材３を介して照明されることによって、暗い場所でも突板２の意匠を浮き出させて見せることができる。
【００３２】
なお、光源６を、その光の色および光量の一方または両方が可変に構成し、これらを操作子で調節できるようにしてもよい。それにより、光源６の光の色および／または光量を変えることによって、突板２の色調や明るさを任意に変化させることができる。また、図示しないが、第３実施形態の木質化粧成形品１に光源６を設けるようにしてもよく、その場合には、光源６により、突板２と併せて意匠層５が照明されることで、意匠層５を複合した突板２の意匠を浮き出させて見せることができる。
【００３３】
図５の第５実施形態による木質化粧成形品１は、第４実施形態の基材３の裏面に、導光板７を設けたものである。この導光板７は、光源６の光を拡散させながら透過させ、均一化するためのものであり、例えば、木質化粧成形品１の成形後に取り付けた、すりガラスや乳白色ガラスなどで構成されている。したがって、本実施形態では、光源６の光が導光板７で均一化されることによって、自然で穏やかな突板２の外観を得ることができる。
【００３４】
図６の第６実施形態による木質化粧成形品１は、第４実施形態の突板２の表面に、表示ラベル８（表示材）を設けたものである。この表示ラベル８は、使用者に伝えるべき所定の情報を文字などで表示したものであり、木質化粧成形品１の成形と同時に、あるいは成形後に貼付けによって、突板２の表面に設けられている。したがって、本実施形態によれば、表示ラベル８もまた光源６により裏側から照明されるので、それに表示された情報を、暗い場所でも確認することができる。
【００３５】
図７に示す第７実施形態による木質化粧成形品１は、第４実施形態の基材３の裏面側に、光源６に代えて、表示装置９を設けたものである。この表示装置９は、複数のＬＥＤ９ａを備えており、これらのＬＥＤ９ａが点灯することによって、所定の情報を表示するように構成されている。したがって、本実施形態によれば、必要なときだけ、ＬＥＤ９ａを点灯することによって、所定の情報を基材３を介して突板２の表面に映し出すことができる。なお、表示装置９の発光素子として、ＬＥＤ９ａに代えて、液晶を用いてもよく、その場合にも、同様の効果を得ることができる。
【００３６】
図８に示す第８実施形態による木質化粧成形品１は、第１実施形態の基材３を、透明な合成樹脂から成る透明部３ａと、不透明な合成樹脂から成る不透明部３ｂで構成したものであり、両者３ａ、３ｂは互いに一体に成形されている。この例では、基材３の中央部に透明部３ａが表裏方向に貫通するように配置され、他の部分に不透明部３ｂが配置されている。したがって、本実施形態によれば、透明部３ａが基材３に部分的にのみ配置されていることによって、突板２の意匠を、部分的に強調して目立たせたり、同一平面内で変化させたりすることなどが可能になり、より多様なバリエーションを得ることができる。
【００３７】
なお、本発明は、説明した実施形態に限定されることなく、種々の態様で実施することができる。例えば、第２実施形態以降の木質化粧成形品１は、第１実施形態の構成を基本とし、補強材４、意匠層５、光源６、導光板７、表示ラベル８および表示装置９のうちの１つまたは２つのみを、各実施形態を特徴づける構成要素として付加することで構成されているが、これらの構成要素４〜９を、例示した以外の２つまたは３つ以上、適宜組み合わせて実施することが可能であり、それによって、より多様な意匠と表示機能などを得ることができる。また、実施形態で示した各構成要素の材質や構成は、あくまで例示であり、各構成要素が備えるべき条件を満たす限り、他の材質などを採用することが可能である。
【００３８】
【発明の効果】
以上詳述したように、本発明の木質化粧成形品によれば、突板の深み感や照り感が強調された、独特の美しい仕上がりを得ることができるとともに、多様な意匠と機能を実現することができるなどの効果を有する。
【図面の簡単な説明】
【図１】本発明の第１実施形態による木質化粧成形品を示す断面図である。
【図２】第２実施形態による木質化粧成形品の断面図である。
【図３】第３実施形態による木質化粧成形品の断面図である。
【図４】第４実施形態による木質化粧成形品の断面図である。
【図５】第５実施形態による木質化粧成形品の断面図である。
【図６】第６実施形態による木質化粧成形品の部分斜視図である。
【図７】第７実施形態による木質化粧成形品の部分斜視図である。
【図８】第８実施形態による木質化粧成形品の断面図である。
【図９】従来の木質化粧成形品の一例を示す断面図である。
【符号の説明】
１  木質化粧成形品
２  突板
３  基材
３ａ  透明部
３ｂ  不透明部
４  補強材
５  意匠層
６  光源
７  導光板
８  表示ラベル（表示材）
９  表示装置
９ａ  ＬＥＤ
１０  トップコート塗膜層
【図１】
0004469463.tif 000002
【図２】
0004469463.tif 000003
【図３】
0004469463.tif 000004
【図４】
0004469463.tif 000005
【図５】
0004469463.tif 000006
【図６】
0004469463.tif 000007
【図７】
0004469463.tif 000008
【図８】
0004469463.tif 000009
【図９】
0004469463.tif 000010